(57)【要約】【課題】  多数の重量物たる被移送体を連結する際の位置合せを容易にする。【解決手段】  開渠（あるいは暗渠）Ａ内で奥行き方向に前進可能な駆動車４に基端が枢支されると共に先端が開渠Ａ内の奥行き方向に延在される揺動アーム５と、基端が上記の駆動車４に枢支されながら先端が上記の揺動アーム５の先端側に枢着されて伸縮作動時に揺動アーム５の先端を上下方向に揺動させる流体圧シリンダ６と、上記の揺動アーム５の先端に保持されて被移送体（３）に受止められながら被移送体（３）に当接される先端ブロック７とを有し、この先端ブロック７が揺動アーム５の先端に水平方向の揺動を可能に保持されると共に、基端を揺動アーム５の先端部に枢着させながら水平方向に延在される先端を先端ブロック７に枢着させる揺動シリンダ８を有してなる。【選択図】        図１
2005273151.tif 000002
【特許請求の範囲】
【請求項１】
開渠内あるいは暗渠内で奥行き方向に延在された滑り面上に載置のジャッキに支持された被移送体を開渠内あるいは暗渠内で奥行き方向に移送させる被移送体の移送構造にあって、開渠内あるいは暗渠内で奥行き方向に前進可能な駆動車に基端が枢支されると共に先端が開渠内あるいは暗渠内の奥行き方向に延在される揺動アームと、基端が上記の駆動車に枢支されながら先端が上記の揺動アームの先端側に枢着されて伸縮作動時に揺動アームの先端を上下方向に揺動させる流体圧シリンダと、上記の揺動アームの先端に保持されて被移送体に受止められながら被移送体に当接される先端ブロックとを有し、この先端ブロックが水平方向への揺動を可能にするように揺動アームの先端に保持されると共に、基端を揺動アームに枢着させながら水平方向に延在される先端を先端ブロックに枢着させる揺動シリンダを有してなることを特徴とする被移送体の移送構造
【請求項２】
流体圧シリンダが切換弁を介して流体圧給排源に連通されてなると共に、切換弁が中立ポジションにあるときに流体圧シリンダが伸縮自由とされてなる請求項１に記載の被移送体の移送構造
【請求項３】
開渠内あるいは暗渠内にボックスカルバートの進行方向となる奥行き方向に断面を凹状にするガイド溝が敷設されると共に、滑り面がこのガイド溝の内底面に設定され、あるいは、ガイド溝の内底面に配設された滑り板で形成されてなる請求項１に記載の被移送体の移送構造
【請求項４】
ガイド溝における上端位置が所定位置に定着されるボックスカルバートにおける下端位置とされると共に、最収縮時のジャッキにおける上端位置がガイド溝における上端位置より下方とされてなる請求項３に記載の被移送体の移送構造
【発明の詳細な説明】
【技術分野】
【０００１】
この発明は、重量物たるボックスカルバートやＬ型擁壁などの被移送体を移送する際に具現化される被移送体の移送構造の改良に関する。
【背景技術】
【０００２】
地中に雨水の送水溝などを形成する際のボックスカルバートや擁壁を形成する際のＬ型擁壁などの重量物たる被移送体は、クレーン車を利用するなどして地上から開渠内あるいは暗渠内に降ろされ、たとえば、先に設置されている被移送体に連結される。
【０００３】
このとき、地上から降ろされる被移送体がそのまま先に設置されている被移送体に連結される以外は、一旦開渠内あるいは暗渠内に降ろされた被移送体を所定の設置位置まで移送することになる。
【０００４】
そして、開渠内あるいは暗渠内での被移送体の移送構造についは、従来から種々の提案があるが、たとえば、特許文献１に開示されているところでは、開渠内あるいは暗渠内で奥行き方向に延在された滑り面上に載置のジャッキに支持された被移送体たるボックスカルバートを適宜の手段で開渠内あるいは暗渠内で奥行き方向に移送させるとしている。
【０００５】
ちなみに、移送手段たる適宜の手段についてだが、既設のボックスカルバート側から引き出されるワイヤなどの牽引材を移送するボックスカルバートに連結して牽引する他に、適宜の駆動車を利用して移送するボックスカルバートを押し進めるなどの手段が選択される。
【０００６】
それゆえ、この特許文献１に開示の提案にあっては、特に、ボックスカルバートたる被移送体がいわゆる小型に形成されていて、被移送体が中型や大型に形成されているがゆえに重量が極めて大きくなる場合に比較して、被移送体の移送を容易に実現し得ることになる。
【特許文献１】特開２００３−３４３００１号公報（明細書中の段落００１０，同００１１，同００１４，同００１６）
【発明の開示】
【発明が解決しようとする課題】
【０００７】
しかしながら、上記した特許文献１に開示の提案にあっては、戸口合せなどの位置合せをする際に、その実践が容易でないと指摘される可能性がある。
【０００８】
すなわち、周知のように、既設の被移送体たるボックスカルバートに新たにボックスカルバートを連結する際には、戸口合せなどと称される位置合せ作業が実践されて、ボックスカルバートの連結部にいたずらなズレや段差を発現させないようにして、結果として、不連続性や漏水隙間の発現などの不具合を招来させないとする。
【０００９】
ちなみに、上記した提案にあっては、滑り面が断面を凹状にするＣ型鋼からなるガイド溝の内底面に形成されるから、このガイド溝の上端が被移送体の下端位置を規制する規制部になるから、移送されてきた被移送体における下端位置については、容易に位置合せできる。
【００１０】
しかし、上記した提案では、滑り面が基礎床などに敷設されるガイド溝の内底面に設定されるから、基本的には、この滑り面上に載置されるジャッキにおける横方向の動き、すなわち、ジャッキにおける滑り面を横切る方向への移動がガイド溝の双璧状の立ち上り部で阻止されることになる。
【００１１】
その結果、ジャッキにおける横方向の動きで被移送体を横移動させて位置合せを実践しようとしても、これを容易に実現できないことになる危惧がある。
【００１２】
この発明は、上記した事情を鑑みて創案されたものであって、その目的とするところは、多数の被移送体を連結する際の位置合せを容易にして、不連続性や漏水隙間の発現を未然に阻止し得て、その汎用性の向上を期待するのに最適となる被移送体の移送構造を提供することである。
【課題を解決するための手段】
【００１３】
上記した目的を達成するために、この発明による被移送体の移送構造の構成を、開渠内あるいは暗渠内で奥行き方向に延在された滑り面上に載置のジャッキに支持された被移送体を開渠内あるいは暗渠内で奥行き方向に移送させる被移送体の移送構造にあって、開渠内あるいは暗渠内で奥行き方向に前進可能な駆動車に基端が枢支されると共に先端が開渠内あるいは暗渠内の奥行き方向に延在される揺動アームと、基端が上記の駆動車に枢支されながら先端が上記の揺動アームの先端側に枢着されて伸縮作動時に揺動アームの先端を上下方向に揺動させる流体圧シリンダと、上記の揺動アームの先端に保持されてボックスカルバートに受止められながら被移送体に当接される先端ブロックとを有し、この先端ブロックが水平方向への揺動を可能にするように揺動アームの先端に保持されると共に、基端を揺動アームに枢着させながら水平方向に延在される先端を先端ブロックに枢着させる揺動シリンダを有してなるとする。
【発明の効果】
【００１４】
それゆえ、請求項１の発明にあっては、駆動車からの駆動力が揺動アームおよび先端ブロックを介して被移送体に作用することで、この被移送体を支持するジャッキが滑り面上を滑ることになり、被移送体が移送される、すなわち、前進することになる。
【００１５】
このとき、揺動アームを揺動させる流体圧シリンダが切換弁における中立ポジションを介して流体圧給排源に連通されて伸縮自由とされることで、駆動車からの駆動力が被移送体を前進させるだけの力になり、流体圧シリンダの伸縮が阻止され、したがって、固定状態になった揺動アームが駆動車の車体姿勢によって梃子運動などをすることになって、被移送体を持ち上げるような事態になることを事前に阻止できることになる。
【００１６】
そして、移送された被移送体を既設の被移送体に連結する際の位置合せを実践するときに、被移送体が水平方向にいわゆる位置ズレしている場合には、被移送体に当接されている先端ブロックと揺動アームとの間に配設されている、すなわち、架設されている揺動シリンダの伸縮で、被移送体における水平方向の位置ズレを修正し、位置合せを実現し得ることになる。
【００１７】
その結果、この発明によれば、多数の被移送体を連結する際の位置合せを容易にして、不連続性や漏水隙間の発現を未然に阻止し得ることになる。
【発明を実施するための最良の形態】
【００１８】
以下に、図示した実施形態に基づいて、この発明を説明するが、この発明による被移送体の移送構造は、図示するところでは、地中に雨水を送水するための送水溝をボックスカルバートを利用して構築する際に具現化されるとしており、図１に示すように、開渠Ａ内にあって図中で左行方向となる奥行き方向に、すなわち、前進方向に延在された滑り面１上に載置のジャッキ２に支持された被移送体たるボックスカルバート３を開渠Ａ内で奥行き方向に移送させる、すなわち、前進させるとしている。
【００１９】
ちなみに、この発明の具現化にあって、ボックスカルバート３は、開渠Ａ内に導入されるとしているが、これに代えて、図示しないが、暗渠内に導入されるとしても良いことはもちろんである。
【００２０】
そして、図示するところでは、開渠Ａ内に導入されて下水溝を構築するボックスカルバート３は、たとえば、共同溝を構築する場合の中型あるいは大型と称せられるボックスカルバートと比較して、いわゆる背丈を小さくしながら重量的にも軽量とされる小型の部類に属するとしている。
【００２１】
それに対して、中型あるいは大型の部類に属するボックスカルバートは、これが開渠Ａ内に導入されるとなると、地表への開口面積も大きくなり、仮設費が嵩むなどの弊害を発生し易くなるから、図示しないが、多くの場合に、暗渠内に導入されることになるであろう。
【００２２】
一方、ボックスカルバート３のいわゆる正面形状についてであるが、図示するところでは、図２に示すように、下部中央に少量の下水を流通させる小溝３ａを有する形状に形成されていて、図示しないが、仮に、この小溝３ａがない場合には、少量の下水が言わば広い底を拡がって流れることで流速が落ち、それゆえ、泥が底に蓄積し易くなることを避けるために、少量の下水については、これを積極的に小溝３ａを流れるようにし、泥の蓄積現象を招来させないようにするとしている。
【００２３】
そして、上記の小溝３ａを形成するために、いわゆる盛り上り部３ｂを形成することになるが、この盛り上り部３ｂについては、このボックスカルバート３の軽量化を図る観点から、図示するように、いわゆる空洞に形成されるのが好ましいであろう。
【００２４】
以上のように形成されているボックスカルバート３を利用するこの発明の具現化にあっては、駆動車４で、すなわち、駆動車４の駆動力でボックスカルバート３を所定位置たる先に配設された、すなわち、既設のボックスカルバート３のところまで移送させるとしている（図１参照）。
【００２５】
このとき、この駆動車４は、ボックスカルバート３を移送させるについて、このボックスカルバート３に重量的に負けない重量を有しながら開渠Ａ内の床面Ｆに対する摩擦抵抗を大きくする、たとえば、履帯型の車両が選択されるとし、図示するところでは、ミニブルドーザなどと称される小型のブルドーザからなるとし、この小型のブルドーザにおけるブレードを撤去した状態で利用されるとしている。
【００２６】
それゆえ、このブレードを撤去した状態のブルドーザからなる駆動車４を利用する場合には、いわゆる背丈が人間よりやや大きくなる程度の小型の部類に属するボックスカルバート３の移送に最適となるのはもちろんだが、既存の建機を転用できることから仮設費の削減に寄与し得る点で有利となる。
【００２７】
一方、このブルドーザからなる駆動車４を利用するとき、この駆動車４には、前身がブルドーザであるだけに揺動アーム５があらかじめ装備されていて、この揺動アーム５は、基端が駆動車４に枢支されながら先端が開渠Ａ内の奥行き方向に延在されるから、この揺動アーム５の先端をボックスカルバート３に連繋させることで、駆動車４の駆動力を推力としてボックスカルバート３に作用し得ることになる。
【００２８】
そして、上記の駆動車４あっては、揺動アーム５を揺動させる流体圧シリンダ６を有しているのが常態であり、また、この流体圧シリンダ６は、基端が上記の駆動車４に枢支されながら先端が上記の揺動アーム５の先端側に枢着されてなるとしている。
【００２９】
それゆえ、この流体圧シリンダ６を伸縮作動させることで、揺動アーム５の先端を上下方向に揺動し得ることになり、たとえば、揺動アーム５の先端に保持されている先端ブロック７を上下動させることで、この先端ブロック７のボックスカルバート３への連繋の可不可を選択し得ることになる。
【００３０】
ちなみに、流体圧シリンダ６についてだが、図示するところでは、ブルドーザが元来油圧で駆動する構成とされていることからして、油圧シリンダからなるとしているが、凡そ所定の機能を発揮し得る限りには、流体圧シリンダ６が水圧シリンダからなるとしても良いことはもちろんである。
【００３１】
のみならず、地球環境のためのエコ思考の観点からすれば、油汚染を招来させないためにも、油に代えて、水が利用される、すなわち、流体圧シリンダ６が水圧シリンダからなるとしても良いことはもちろんである。
【００３２】
ところで、揺動アーム５の先端に保持される先端ブロック７についてだが、この先端ブロック７は、ボックスカルバート３に受止められながらボックスカルバート３に当接される構成を備えてなるもので、ボックスカルバート３に受止められることで、揺動自由とされている揺動アーム５の先端が下降することを阻止し得ると共に、ボックスカルバート３に当接されることで、揺動アーム５を介して駆動車４からの駆動力をボックスカルバート３に伝達し得ることになる。
【００３３】
そのため、この先端ブロック７は、図３にも示すように、ボックスカルバート３への着座部７１と、ボックスカルバート３への当接部７２とを有するように形成されていて、いわゆる背後側の中央に配在された枢着部７３が揺動アーム５の先端に配在の枢着部５１に連結され、揺動アーム５の先端でこの枢着部を中心にして水平方向に揺動可能とされてなるとしている。
【００３４】
このとき、図示するところでは、当接部７２がボックスカルバート３のいわゆる内法の寸法より小さい幅長さを有するように形成され、そして、着座部７１がこの当接部７２と同寸法の幅長さを有するように形成されてなるとしているが、この当接部７２が機能するところを鑑みると、これがいわゆる二股状に形成され、また、着座部７１の機能するところを鑑みると、これが当接部７２より短く着座に必要な幅長さを有するのみに形成されるとしても良い。
【００３５】
そして、当接部７２が二股状に形成され、着座部７１が当接部７２より短い幅長さに形成される場合には、先端ブロック７における重量の軽減化を可能にし得る点で有利となる。
【００３６】
ちなみに、着座部７１が当接部７２と同じにボックスカルバート３の内法寸法に匹敵する幅長さを有するように形成される場合には、この先端ブロック７の重量を大きくできるから、駆動車４における重量不足が懸念されることがあっても、この先端ブロック７を利用することで、駆動車４における重量不足の懸念を払拭し得ることになる点で有利となる。
【００３７】
ちなみに、上記の重量不足を解消する上からは、駆動車４のいわゆる車体に錘を載せたり、あるいは、上記の揺動アーム５に錘を載せるとしても良く、この場合には、錘を撤去することで、いたずらな重量オーバーを招来させないことが容易に可能になる点で有利となる。
【００３８】
つぎに、前記した揺動アーム５の先端に配在される枢着部５１は、この揺動アーム５がいわゆる左右で一対となるように構成されているから、この左右となる揺動アーム５の先端を連結する繋ぎ部材５２の中央に一体に形成されるとしている。
【００３９】
このことからすると、上記の先端ブロック７は、これが上記の繋ぎ部材５２に枢着された状態で提供されて準備される場合には、前記したブルドーザにおけるブレードをこの繋ぎ部材５２付きの先端ブロック７に交換することで、揺動アーム５の先端に先端ブロック７を保持した状態を具現化できることになる。
【００４０】
以上のように、この発明によるボックスカルバートの連結構造にあっては、揺動アーム５の先端に先端ブロック７を保持していて、この先端ブロック７を介してボックスカルバート３を押し、移送することを可能にしているが、さらには、次のような配慮もしている。
【００４１】
すなわち、上記の先端ブロック７と揺動アーム５との間には、揺動シリンダ８を有していて、この揺動シリンダ８の伸縮作動で先端ブロック７を揺動アーム５の先端で水平方向に揺動させるとしている。
【００４２】
このとき、図示するところでは、揺動シリンダ８の基端が揺動アーム５の先端部に枢着されながら水平方向に延在される先端が先端ブロック７に枢着されるとしており、したがって、この揺動シリンダ８の伸縮作動で、先端ブロック７が前記した枢着部を中心にして左右方向に揺動し得ることになる。
【００４３】
それゆえ、先端ブロック７がボックスカルバート３に当接されている状態で、この先端ブロック７を左右のいずれかの方向に揺動すると、揺動アーム５を介しての駆動車４からの駆動力がボックスカルバート３の正面視からする左右のいずれか側に集中されることになり、その結果、ボックスカルバート３がその正面側を平面視からして左右のいずれか側に旋回させることが可能になる。
【００４４】
すなわち、ボックスカルバート３を既設のボックスカルバート３に連結するときに、いわゆる左右側が同時に隣接する連結状態にならず、それがため、左右側のいずれか一方側にボックスカルバート３を旋回させて、左右側が同時に隣接する連結状態を実現する、すなわち、戸口合せを実現可能にし得ることになる。
【００４５】
ところで、上記した揺動シリンダ８は、図示しないが、所定の流体圧の給排を可能にする流体圧給排源によって伸縮作動するが、前記した流体圧シリンダ６にあっても、所定の流体圧の給排を可能にする流体圧給排源Ｐによって伸縮作動する。
【００４６】
このとき、流体圧シリンダ６の伸縮を制御するのが切換弁９であって、この切換弁９は、図１中に示すように、流体圧給排源Ｐからの油を流体圧シリンダ６に供給してこれを伸長作動させる伸長ポジション９ａと、流体圧シリンダ６からの油を流体給排源Ｐに戻してこれを収縮作動させる収縮ポジション９ｂと、流体圧シリンダ６と流体圧給排源Ｐとの間における油の往復を自由にして流体圧シリンダ６を伸縮自由にする中立ポジション９ｃとを有してなるとしている。
【００４７】
それゆえ、この切換弁９に接続する流体圧シリンダ６にあっては、切換弁９における切換制御で揺動アーム５を揺動して先端ブロック７を上下動し得るのはもちろんのこと、切換弁９を中立ポジション９ｃにして流体圧シリンダ６を伸縮自由な状態に維持することが可能になる。
【００４８】
そして、先端ブロック７をボックスカルバート３に受止めさせながらボックスカルバート３に当接した状態で流体圧シリンダ６の伸縮を自由な状態に維持する場合には、この状態下に駆動車４からの駆動力がボックスカルバート３に作用するときに、ボックスカルバート３にはこれを前進させる力、すなわち、推力が作用するのみとなる。
【００４９】
それゆえ、切換弁９の制御で流体圧シリンダ６の伸縮が阻止されていて、したがって、固定状態になった揺動アーム５が駆動車４の車体姿勢によって梃子運動などをすることになって、ボックスカルバート３を持ち上げるような事態になることを事前に阻止できることになる。
【００５０】
以上のように、この発明にあっては、駆動車４の駆動力でボックスカルバート３の移送が可能になるとしているが、このボックスカルバート３の移送を実現するには、図示するところでは、ボックスカルバート３を支持するジャッキ２が開渠Ａ内に奥行き方向に延在された滑り面１上で滑動することによって具現化されるとしている（図１参照）。
【００５１】
そこで、以下には、滑り面１と、この滑り面１上で滑動するジャッキ２について説明するが、まず、滑り面１は、この実施形態では、図４に示すように、上記した奥行方向に直交する方向となる横方向の断面を凹状にするＣ型鋼からなるガイド溝１０の内底面に配設された滑り板１１で形成されてなるとしている。
【００５２】
このように、滑り面１が滑り板１１で形成される場合には、ガイド溝１０の内底面を直接滑り面１に設定する場合に比較して、滑り面１の形成が容易になる点で有利となり、また、滑り面１に傷付きなどの現象を招来することがあることを予測すると、この滑り面１が滑り板１１からなる場合には、いわゆる交換を簡単迅速に実現できる点で有利となる。
【００５３】
そして、ガイド溝１０の内底面に配設される滑り板１１で滑り面１が形成される場合には、ガイド溝１０が鋼材からなるとき、滑り面１を安定させ易くなると共に、平坦な滑り面１を保障し易くなる。
【００５４】
ところで、上記のガイド溝１０は、開渠Ａ内にあってボックスカルバート３の進行方向となる奥行き方向にいわゆる左右の一対となるように配在されるもので、このとき、このガイド溝１０における上端位置を所定位置に定着されるボックスカルバート３における下端位置に設定しており、ボックスカルバート３におけるいわゆるレベルを容易に決定し得るようにしている。
【００５５】
すなわち、ガイド溝１０の上端位置をボックスカルバート３の下端位置にすることで、ガイド溝１０をボックスカルバート３の敷桁にできるから、あらかじめガイド溝１０の設置の際にレベルを確保しておくことで、ボックスカルバート３を所定位置に所定の状態に設置する作業を容易にし得ることになる。
【００５６】
そして、後述するジャッキ２における最収縮時の上端位置をガイド溝１０における上端位置より下方となるように設定すれば、ジャッキ２の上端がガイド溝１０の上端位置を僅かに超えることになる伸長作動でボックスカルバート３を持ち上げることが可能になると共に、ジャッキ２の上端がガイド溝１０の上端位置より僅かに下がることになる収縮作動でボックスカルバート３から分離可能な状態になる。
【００５７】
そして、最収縮したジャッキ２は、滑り面１上を滑動して、たとえば、つぎのボックスカルバート３を移送させるために、ガイド溝１０内にあって図１中で右行するように後退し得ることになる。
【００５８】
ちなみに、このガイド溝１０を開渠Ａ内の内底に設置するについて、図示するところでは、ガイド溝１０が開渠Ａ内の基礎地盤Ｂ上に固定状態に設けられて、整地モルタルなどの充填材Ｍで形成される床面Ｆ位置がガイド溝１０の上端位置になるとしている。
【００５９】
このとき、基礎地盤Ｂは、所定の機械的強度を有する限りには、任意の構造に形成されて良く、たとえば、図示する実施形態では、詳しくは図示しないが、鉄筋コンクリート構造で形成されるとしているが、これに代えて、プレキャストコンクリート板が敷設されて形成されるとしても良い。
【００６０】
この点からすれば、基礎地盤Ｂ上に多数の小球を敷き詰めてこの小球の転動でボックスカルバート３を移送させる従来の移送構造に比較して、基礎地盤Ｂの施工が限定されない点で有利になると言い得る。
【００６１】
なお、ボックスカルバート３を順次連結するに際しては、図示しないが、ボックスカルバート３がいわゆる小型の部類に属する場合には、いわゆる突合せ状態を土砂の埋め戻しなどで維持する方策によるが、ボックスカルバート３がいわゆる中型あるいは大型の部類に属する場合には、ロングボルトを利用して複数のボックスカルバート３を一体に連結する方策が採用される。
【００６２】
つぎに、ジャッキ２は、上記の滑り面１に下端が面接触しながらその伸長作動時に上端でボックスカルバート３を担持するもので、図示しないが、ボックスカルバート３において平面視でいわゆる四隅部となる四箇所に配在されて、ボックスカルバート３の転倒を阻止するとしている。
【００６３】
そして、このジャッキ２は、その伸長作動時に上端がガイド溝１０の上端より突出してボックスカルバート３を持ち上げるように機能し、その収縮作動時にガイド溝１０の上端より低くなってボックスカルバート３から分離されるように機能するものである限りには、任意の構造に形成されてよく、この実施形態にあっては、図示しないが、油圧シリンダ構造に形成されてなるとしている。
【００６４】
また、このジャッキ２は、本体２１の下端にテフロン（登録商標）などからなる滑り抵抗低減部材２２を有していて、滑り面１に対する摺動抵抗が低減されて、ジャッキ２の滑り面１上での摺動性が保障されるとしている。
【００６５】
このとき、前記した従来例のように多数の小球を利用するものでないから、小球が転動する際の騒音発生を危惧する必要がなく、したがって、この発明によるボックスカルバートの移送構造にあっては、市街地での夜間工事などを可能にする点で有利となる。
【００６６】
また、多数の小球を利用する移送構造に比較すれば、開渠Ａをある程度深く掘削する必要があるが、台車を利用してボックスカルバート３を移送する移送構造に比較すれば、開渠Ａを遥かに浅く掘削することで足りる点で有利となる。
【００６７】
前記したところでは、滑り面１が滑り板１１で形成され、しかも、この滑り板１１がガイド溝１０の内底に配設されてなるとしたが、この発明が意図するところからすれば、滑り板１１が開渠Ａ内の基礎地盤Ｂ上あるいは充填材Ｍ上に直接設けられるとしても良い。
【００６８】
そして、前記したところでは、滑り面１が開渠Ａの奥行き方向に左右となる二条配在されるとしたが、この発明が意図するところからすれば、二条以上とされて良く、また、滑り面１上を滑動するジャッキ２についても、各滑り面１上で前後となる一対とされているが、この発明が意図するところからすれば、ボックスカルバート３の移送を実現し得る限りには、任意の数が選択されても良い。
【００６９】
また、前記したところでは、滑り面１およびガイド溝１０の長さについては、限定していないが、たとえば、ガイド溝１０が全部のボックスカルバート３を連続させるについて充分となる長さに敷設されてなるとし、また、滑り面１を形成する滑り板１１についても同様に長く配設されてなるとしても良い。
【００７０】
そして、その一方で、ガイド溝１０については、全部のボックスカルバート３を連続させるについて充分となる長さに敷設されるが、滑り板１１については、ジャッキ２を摺動させるに十分となる長さにされて、いわゆる尺取運動で利用が繰り返されるとしても良い。
【００７１】
そしてまた、前記したところでは、この発明による移送構造が開渠Ａ内でのボックスカルバート３の移送に具現化される場合を例にしたが、この発明が意図するところからすれば、この発明による移送構造が暗渠内でのセグメント類の移送や、Ｌ型擁壁あるいはＵ字溝の移送に具現化されるとしても良く、その場合の作用効果も異ならないのはもちろんである。
【図面の簡単な説明】
【００７２】
【図１】この発明によるボックスカルバートの移送構造を具現化した状態を側面側から示す部分縦断面図である。
【図２】ガイド溝の上端に支持された状態のボックスカルバートを示す正面図である。
【図３】ガイド溝内のジャッキにの上端がボックスカルバートの下端に当接されている状態を示す拡大縦断面図である。
【図４】ボックスカルバートの正面端に先端ブロックが連繋されている状態を示す横断面図である。
【符号の説明】
【００７３】
１  滑り面
２  ジャッキ
３  被移送体たるボックスカルバート
４  駆動車
５  揺動アーム
６  流体圧シリンダ
７  先端ブロック
８  揺動シリンダ
９  切換弁
９ｃ  中立ポジション
１０  ガイド溝
１１  滑り板
Ａ  開渠
Ｐ  流体圧給排源
【図１】
2005273151.tif 000003
【図２】
2005273151.tif 000004
【図３】
2005273151.tif 000005
【図４】
2005273151.tif 000006